(57)【要約】【課題】浴室の施工作業を短時間で行え、かつ、意匠性も向上できる浴室建具の提供。【解決手段】浴室建具１は建具枠２および障子を備える。建具枠２は、上枠４、下枠５、縦枠６、下端ブロック７を有する。建具枠２の浴室内に面する内面は、第１内面２Ａと、第１内面２Ａの上側に形成されて第１内面２Ａよりも浴室側に突出された第２内面２Ｂとを備える。第１内面２Ａは下枠第１内面５１１Ａとブロック第１内面７３１Ａで構成され、第２内面２Ｂは下枠第２内面５１１Ｂ、縦枠６の内面６Ａ、上枠の内面４Ｂで構成される。第１内面２Ａの上端位置は、建具枠２が防水パン上に載置された際に、浴室床面の高さ位置よりも上方となる位置に設けられ、第１内面２Ａの下端位置は、建具枠２が防水パン上に載置された際に、浴室床面とほぼ同じ高さ位置または浴室床面よりも下方となる位置に設けられる。【選択図】図３
2008285900.tif 000002
【特許請求の範囲】
【請求項１】
浴室の床面を構成する防水パン上に載置される浴室建具であって、
上枠、下枠および左右の縦枠を有する建具枠と、
前記建具枠内に配置される面材または可動障子とを備え、
前記建具枠の浴室内に面する内面は、
第１内面と、
前記第１内面の上側に形成されかつ建具枠の見込み方向の位置が前記第１内面よりも浴室側の位置とされた第２内面とを備え、
前記第１内面の上端位置は、前記建具枠が防水パン上に載置された際に、浴室床面の高さ位置よりも上方となる位置に設けられ、
前記第１内面の下端位置は、前記建具枠が防水パン上に載置された際に、浴室床面とほぼ同じ高さ位置または浴室床面よりも下方となる位置に設けられている浴室建具。
【請求項２】
前記建具枠は、
上枠、下枠および左右の縦枠と、
前記左右の縦枠の下端にそれぞれ取り付けられる下端ブロックとを備え、
前記下枠は、前記各下端ブロック間に配置され、かつ、下枠の浴室内に面する内面には下枠第１内面が形成され、
前記下端ブロックの浴室内に面する内面にはブロック第１内面が形成され、
前記建具枠の第１内面は、前記下枠第１内面と、ブロック第１内面とで構成されている請求項１に記載の浴室建具。
【請求項３】
前記下枠の両端は、左右の縦枠および下端ブロックに跨って配置され、かつ、前記下枠の両端と、縦枠および下部ブロックとの間には防水シートが介在され、
前記下枠と縦枠および下部ブロックとは、前記縦枠を挿通して下枠に設けられたビスホールにねじ込まれるねじと、下端ブロックを挿通して下枠に設けられたビスホールにねじ込まれるねじとによって固定されている請求項２に記載の浴室建具。
【請求項４】
前記縦枠は、上下両端が開口された中空筒状に形成され、
前記下端ブロックは、
前記縦枠の下端開口から縦枠内に挿入される挿入部と、
前記挿入部の下側に形成されて前記縦枠の下端に当接する当接部と、
前記当接部の下側に形成された延出部とを備えて構成され、
前記挿入部の側面にはシーリング材を塗布する溝が形成されている請求項２または請求項３に記載の浴室建具。
【請求項５】
前記下枠の浴室内に面する内面には、前記下枠第１内面と、下枠第１内面の上側に形成された下枠第２内面が形成され、
前記縦枠の下端は、前記下枠第２内面の下端の高さ位置と一致され、
前記建具枠の第２内面は、前記下枠第２内面と、各縦枠および上枠の内面とで構成されている請求項２から請求項４のいずれかに記載の浴室建具。
【請求項６】
防水パンと、請求項１〜５のいずれかに記載の浴室建具と、壁パネルとを備えた浴室であって、
前記浴室建具および壁パネルは、防水パンの周縁部上に載置され、
前記浴室建具と、浴室建具に隣接してかつ浴室建具に沿って配置される壁パネルは、浴室建具の建具枠の第１内面と、壁パネルの浴室内に面するパネル内面とが同一平面上となるように配置されている浴室。
【発明の詳細な説明】
【技術分野】
【０００１】
本発明は、浴室建具およびこの浴室建具を利用した浴室に関する。
【背景技術】
【０００２】
防水パンを有したユニットバス等の浴室では、防水パンの周縁部上に、浴室の壁パネルや、出入り口用の浴室建具を配置していた（例えば、特許文献１参照）。
このような出入り口用の浴室建具は、通常、その建具枠の浴室内に面する内面が、壁パネルの内面と同一平面上に位置するように位置合わせして設置している（例えば、特許文献２の図３参照）。
【０００３】
【特許文献１】特開平１０−１８４１９８号公報
【特許文献２】特開２００５−２００９７５号公報
【発明の開示】
【発明が解決しようとする課題】
【０００４】
ところで、出入り口用の浴室建具は、折れ戸や引戸などの可動障子が設けられるため、通常、垂直に設置する必要がある。
このため、壁パネルが傾斜して設置されている場合には、建具枠の内面と、壁パネルの内面とが同一平面上に位置せず、段差が生じてしまうことになる。建具枠の調整は、通常、数ミリ程度であるが、建具枠の下部側を基準にして調整した場合、建具枠の下部側では、建具枠の内面は壁パネルの内面とほぼ同一面に配置できる。
しかしながら、建具枠の上部に向かうにしたがって、建具枠の内面と壁パネルの内面との間に、徐々に段差が生じ、建具枠の上部側では数ミリの段差が生じてしまう。このように、建具枠および壁パネルの上下方向の途中から徐々に段差が発生すると、浴室内面の意匠が低下してしまうという問題がある。
一方、壁パネルと浴室建具とは、防水パンの周縁に設けられた共通の載せ面に載置されているため、段差を無くすためには、防水パンや壁パネルなどのバスユニット全体を動かして調整する必要があり、浴室の施工作業に非常に時間がかかるという問題があった。
このような問題は、出入り口用の浴室建具を設置する場合に限定されず、建具枠内にガラス等の面材を嵌め込んだＦＩＸ窓用の浴室建具を壁パネルに隣接して配置する場合でも同様であった。
【０００５】
本発明の目的は、壁パネルと浴室建具を載置する載せ面を共通にでき、かつ、施工性や意匠性を向上できる浴室建具および浴室を提供することにある。
【課題を解決するための手段】
【０００６】
本発明の浴室建具は、浴室の床面を構成する防水パン上に載置される浴室建具であって、上枠、下枠および左右の縦枠を有する建具枠と、前記建具枠内に配置される面材または可動障子とを備え、前記建具枠の浴室内に面する内面は、第１内面と、前記第１内面の上側に形成されかつ建具枠の見込み方向の位置が前記第１内面よりも浴室側の位置とされた第２内面とを備え、前記第１内面の上端位置は、前記建具枠が防水パン上に載置された際に、浴室床面の高さ位置よりも上方となる位置に設けられ、前記第１内面の下端位置は、前記建具枠が防水パン上に載置された際に、浴室床面とほぼ同じ高さ位置または浴室床面よりも下方となる位置に設けられていることを特徴とする。
【０００７】
本発明では、建具枠の内面に、建具枠の見込み方向の形成位置が異なる第１内面および第２内面を設けたので、浴室建具に隣接して配置される壁パネルの内面に前記第１内面を揃えて配置することで、第２内面は壁パネルの内面よりも浴室側に突出することになる。
従って、建具枠の第２内面を壁パネル内面よりも浴室側に突出させておけるので、建具枠を調整するために傾斜した場合でも、壁パネル内面に対する建具枠の第２内面の突出量が僅かに変位するだけである。この場合、そもそも建具枠が壁パネル内面から突出するように意匠が設定されているため、その突出量が僅かに変位しても意匠への影響は殆ど無く、浴室内面の意匠が低下することを防止できる。
【０００８】
また、建具枠を調整することができるので、バスユニット全体を動かして調整する必要が無く、浴室の施工作業時間も短縮することができる。
さらに、建具枠の第１内面は、その上端位置が、前記建具枠が防水パン上に載置された際に、浴室床面の高さ位置よりも上方となり、かつ、下端位置が浴室床面とほぼ同じ高さ位置または浴室床面よりも下方となる位置とされているため、前記建具枠の第１内面を、壁パネルの内面と揃えておけば、浴室床面と同じ高さレベルにおいて、建具枠および壁パネル間には段差が生じない。このため、建具枠および壁パネルと浴室床面との間にシリコンなどのシーリング材を充填する場合に、一直線状にシーリング材を充填すればよく、シーリング処理等の防水作業を容易にかつ確実に行うことができる。
【０００９】
本発明において、前記建具枠は、上枠、下枠および左右の縦枠と、前記左右の縦枠の下端にそれぞれ取り付けられる下端ブロックとを備え、前記下枠は、前記各下端ブロック間に配置され、かつ、下枠の浴室内に面する内面には下枠第１内面が形成され、前記下端ブロックの浴室内に面する内面にはブロック第１内面が形成され、前記建具枠の第１内面は、前記下枠第１内面と、ブロック第１内面とで構成されていることが好ましい。
【００１０】
このような構成によれば、縦枠の下端に下端ブロックを取り付け、この下端ブロックにブロック第１内面を形成したので、縦枠の内面には第２内面のみを形成すればよい。このため、縦枠に第１内面を形成する必要がないため、縦枠の水平断面形状を一定にでき、縦枠を押出成形で容易に製造できる。
さらに、防水パンの形状が複数ある場合、その形状に応じて建具枠の下枠を選択する必要がある。この際、通常の建具枠のように、縦枠間に下枠を取り付けている場合には、下枠が変更されると縦枠もその下枠に応じたものに変更する必要があり、縦枠種類も増加する。一方、本発明のように、下端ブロックを用いている場合には、下枠を変更した場合もその下枠に対応する下端ブロックを選択すればよく、縦枠は共通化できて部品種類を少なくできる。
【００１１】
本発明において、前記下枠の両端は、左右の縦枠および下端ブロックに跨って配置され、かつ、前記下枠の両端と、縦枠および下部ブロックとの間には防水シートが介在され、前記下枠と縦枠および下部ブロックとは、前記縦枠を挿通して下枠に設けられたビスホールにねじ込まれるねじと、下端ブロックを挿通して下枠に設けられたビスホールにねじ込まれるねじとによって固定されていることが好ましい。
【００１２】
このような構成によれば、縦枠と下枠とを直接ねじ止めできるので、通常の建具枠と同程度の強度を確保することができる。
また、下端ブロックは縦枠に接着剤などで固定されるだけでなく、下枠にねじでも固定されるため、下端ブロックの取付強度を向上できる。
さらに、下端ブロックおよび下枠で防水シートを挟持できるため、下端ブロックおよび下枠間の防水性能を向上できる。
【００１３】
本発明において、前記縦枠は、上下両端が開口された中空筒状に形成され、前記下端ブロックは、前記縦枠の下端開口から縦枠内に挿入される挿入部と、前記挿入部の下側に形成されて前記縦枠の下端に当接する当接部と、前記当接部の下側に形成された延出部とを備えて構成され、前記挿入部の側面にはシーリング材を塗布する溝が形成されていることが好ましい。
【００１４】
このような構成によれば、挿入部に形成された溝にシーリング材を塗布しておけば、下端ブロックおよび縦枠内面の防水性を容易に確保できる。
また、下端ブロックに前記当接部を形成しておけば、下端ブロックの挿入部を縦枠内に挿入した際に、前記当接部を縦枠下端に当接させることで下端ブロックの取付位置を容易にかつ正確に設定できる。
なお、縦枠と下枠とを固定するねじが、下端ブロックにおいて縦枠内に挿入された挿入部をも貫通して設けられていれば、下端ブロックが縦枠から外れてしまうことを確実に防止できる。
【００１５】
本発明において、前記下枠の浴室内に面する内面には、前記下枠第１内面と、下枠第１内面の上側に形成された下枠第２内面が形成され、前記縦枠の下端は、前記下枠第２内面の下端の高さ位置と一致され、前記建具枠の第２内面は、前記下枠第２内面と、各縦枠および上枠の内面とで構成されていることが好ましい。
【００１６】
本発明においては、建具枠の下枠内面には第１内面のみを形成し、建具枠の各縦枠および上枠において下枠上端位置よりも上方に位置する部分に第２内面を形成することもできる。但し、この場合、第２内面は建具枠の上枠および各縦枠のみに形成されるため、第２内面の連続性が下枠部分で途切れ、意匠性が低下する。
これに対し、下枠にも第２内面を形成すれば、第２内面が建具枠の内面で四周連続して設けられるため、意匠性を向上できる。
【００１７】
本発明の浴室は、防水パンと、前記浴室建具と、壁パネルとを備えた浴室であって、前記浴室建具および壁パネルは、防水パンの周縁部上に載置され、前記浴室建具と、浴室建具に隣接してかつ浴室建具に沿って配置される壁パネルは、浴室建具の建具枠の第１内面と、壁パネルの浴室内に面するパネル内面とが同一平面上となるように配置されていることを特徴とする。
【００１８】
このような本発明によれば、前記浴室建具と同様に、浴室の施工作業を短時間で行うことができ、かつ、浴室内部の意匠性も向上でき、さらに、浴室床面と浴室建具および壁パネル間のシーリング処理等の防水作業を容易に行うことができる。
【発明を実施するための最良の形態】
【００１９】
以下、本発明の実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを一部省略する場合がある。
【００２０】
〔第１実施形態〕
図１は、本発明の実施形態に係る浴室建具１を示す縦断面図であり、図２は浴室建具１の横断面図である。図３は、浴室建具１の建具枠２の分解斜視図である。
図１において、浴室建具１は、ユニットバスからなる浴室への出入り口として脱衣室との間に設けられるものであって、枠体としての建具枠２と、この建具枠２に開閉自在に支持された障子３とを有して構成されている。
【００２１】
ユニットバスは、その床面を構成する防水パン１０を有している。防水パン１０は、ＦＲＰ（Fiber-Reinforced Plastics 、繊維強化プラスチック）製等の一体成形品である。そして、防水パン１０の周縁部には、図１にも示すように、溝部１１が形成されている。溝部１１は、防水パン１０の上面１０Ａから下方に延びる側面部１１Ａと、側面部１１Ａの下端から外側に延長された底面部１１Ｂと、底面部１１Ｂの外周縁から段付き状に上方に延びた立上部１１Ｃとを有して形成されている。
また、防水パン１０の上面１０Ａは、図４に示すように、建具枠２に沿った方向に傾斜されて水勾配が設けられている。さらに、防水パン１０の上面１０Ａ上には、図1に示すように、浴室床材１２が配置されている。
【００２２】
建具枠２は、上枠４、下枠５、左右の縦枠６、縦枠６の下端に取り付けられた下端ブロック７を備えて構成されている。
上枠４は、図1にも示すように、断面略Ｌ字状に形成され、かつ、障子３を閉めた際に障子３が当接される戸当たり用の垂下片４Ａを備えたアルミ押出形材で構成されている。
各縦枠６は、図２にも示すように、矩形筒状に形成された本体部６１と、この本体部６１から脱衣室側に延長されたフランジ部６２と、本体部６１から他方の縦枠６側に向かって延出されて障子３が当接される戸当たり用の突出部６３とを備えたアルミ押出形材で構成されている。
【００２３】
下枠５は、図１，５にも示すように、矩形筒状に形成された本体部５１と、本体部５１の上端から脱衣室側に延長されたフランジ部５２とを備えたアルミ押出形材で構成されている。
本体部５１は、浴室側に面する内面部５１１と、脱衣室側に面する外面部５１２と、内面部５１１および外面部５１２の下端間を連結する底面部５１３と、内面部５１１および外面部５１２の上端間を連結する上面部５１４と、内面部５１１および外面部５１２の上下方向の中間部分を連結する中間連結部５１５とを備えている。上面部５１４、中間連結部５１５、フランジ部５２にはそれぞれビスホール５１６が形成されている。
この本体部５１は、防水パン１０の溝部１１内に配置され、底面部１１Ｂ上に載置されている。この際、溝部１１の幅寸法（側面部１１Ａおよび立上部１１Ｃ間の寸法）は、本体部５１の幅寸法と同程度とされ、溝部１１に本体部５１を配置した際に、本体部５１が浴室側および脱衣室側に移動しないように設定されている。
【００２４】
内面部５１１は、建具枠２（下枠５）の見込み方向（浴室および脱衣室間の出入り方向）の位置が異なる下枠第１内面５１１Ａ〜下枠第３内面５１１Ｃまでの３つの面を備えている。
下枠第３内面５１１Ｃは、内面部５１１の下端部から所定高さまで形成され、見込み方向の形成位置が、3つの面のうち、最も脱衣室側に形成されている。
下枠第１内面５１１Ａは、下枠第３内面５１１Ｃの上側に形成され、下枠第３内面５１１Ｃの上端から所定高さまで形成されている。下枠第１内面５１１Ａは、見込み方向の形成位置が、下枠第３内面５１１Ｃよりも浴室側に形成されている。
下枠第２内面５１１Ｂは、下枠第１内面５１１Ａの上側に形成され、下枠第１内面５１１Ａの上端から内面部５１１の上端まで形成されている。下枠第２内面５１１Ｂは、見込み方向の形成位置が、下枠第１内面５１１Ａよりも浴室側に形成されている。
【００２５】
なお、本実施形態では、下枠第１内面５１１Ａの高さ寸法は、他の内面５１１Ｂ，５１１Ｃの高さ寸法の３〜４倍程度と大きくされている。これにより、図１，４に示すように、下枠５に沿って傾斜配置される浴室床材１２の端面の上端縁の高さ位置が、第１内面５１１Ａの上下端縁間に配置するように構成されている。すなわち、図１の２点鎖線で示す浴室床材１２の最下端部から実線で示す最上端部まで、浴室床材１２の端面上端縁が下枠第１内面５１１Ａの上端から下端までの間に配置されるように、下枠第１内面５１１Ａの高さ寸法が設定されている。
【００２６】
下端ブロック７は、シーリング材等との相性が良い合成樹脂などで構成され、図５にも示すように、縦枠６の下端開口から縦枠６内に挿入される挿入部７１と、挿入部７１の下側に形成されて前記縦枠６の下端に当接する当接部７２と、当接部７２の下側に形成された延出部７３とを備えている。
【００２７】
下端ブロック７の外側面には、図６に示すように、縦枠６の外側面に形成されたリブ６４に連続するリブ７４が形成されている。リブ６４，７４間には、図２，７に示すように、止水テープ８３が縦枠６および下端ブロック７の上下方向の全長にわたって貼り付けられる。これにより、縦枠６と下端ブロック７間の連続性を確保し、止水安定性を高めることができる。また、各リブ６４，７４はそれぞれ並行に２本ずつ設けられているが、そのうち浴室側のリブは、図２に示すように、施工の最終工程で処理されるシーリング材８５の受けを兼ねている。このため、各リブ６４，７４を、縦枠６および下端ブロック７の上下方向に連続して設けることによりシーリング処理を容易にかつ確実にでき、止水性を高めることができる。
【００２８】
下端ブロック７の挿入部７１には、図５に示すように、貫通孔７１１と、溝７１２が形成されている。貫通孔７１１は、図３に示すように、下枠５との固定用のタッピンねじ７５が挿通され、タッピンねじ７５の頭が係止されるものである。
溝７１２は、挿入部７１の下端近傍の高さ位置に、かつ、脱衣室側の面以外の３面に連続して形成されている。この溝７１２には、シリコンなどのシーリング材が塗布され、挿入部７１を縦枠６内に挿入した際に、下端ブロック７を縦枠６に接着し、かつ、防水性を確保している。
【００２９】
下端ブロック７の当接部７２は、前記挿入部７１を縦枠６内に挿入した際に縦枠６の下端に当接し、下端ブロック７の取付位置を規制している。
下端ブロック７の延出部７３は、側面形状が内面部５１１の断面形状と略同一とされている。すなわち、延出部７３の浴室側の内面７３１は、前記下枠第１内面５１１Ａと同一平面上に形成されたブロック第１内面７３１Ａと、前記下枠第３内面５１１Ｃと同一平面上に形成されたブロック第３内面７３１Ｃとを備えている。また、延出部７３には、下枠５との固定用のタッピンねじ７５が挿通され、タッピンねじ７５の頭が係止される貫通孔７３２が形成されている。
【００３０】
なお、本実施形態では、図7にも示すように、下枠５の下枠第１内面５１１Ａおよび下端ブロック７のブロック第１内面７３１Ａによって、建具枠２の第１内面２Ａが構成されている。また、下枠５の下枠第２内面５１１Ｂと、縦枠６および上枠４の浴室側の内面６Ａ，４Ｂによって、建具枠２の第２内面２Ｂが構成されている。
【００３１】
（建具枠の組立）
次に、建具枠２の組立手順について説明する。
まず、図３に示すように、縦枠６の下端に下端ブロック７を取り付ける。この際、前述したように、溝７１２にシリコンなどを塗布し、挿入部７１を縦枠６の本体部６１内に下側から挿入する。
また、縦枠６の上端には、上端ブロック１６を取り付ける。なお、上端ブロック１６はシーリング材等との相性が良い合成樹脂などで構成され、縦枠６の上端開口を閉塞するものである。
【００３２】
次に、縦枠６の上端内側面に合成ゴムなどで構成されたシート状の上枠シーラー８１を、接着剤などを用いて貼り付ける。
また、縦枠６の下端内側面に合成ゴムなどで構成されたシート状の下枠シーラー８２を、接着剤などを用いて貼り付ける。
【００３３】
次に、上枠４および下枠５と、縦枠６および下端ブロック７とを、タッピンねじ７５を用いて組み立てる。この際、タッピンねじ７５は、縦枠６や下端ブロック７側から各シーラー８１，８２を介して、上枠４および下枠５のビスホールにねじ込まれる。これにより、上枠４、下枠５と、縦枠６、下端ブロック７の接合面は、上枠シーラー８１，８２でシールされる。
この際、下枠５と、縦枠６、下端ブロック７とは、下枠５の両端側において、それぞれ３本のタッピンねじ７５で接合されている。これらのタッピンねじ７５のうち、１本は縦枠６および縦枠６内に挿入された挿入部７１を通して下枠５にねじ込まれている。このため、前記溝７１２に塗布されたシリコン等で接着された下端ブロック７は、タッピンねじ７５によっても縦枠６から外れてしまうことが防止される。さらに、ＡＴ材１７や、水密材１８を、縦枠６や下枠５の所定の箇所に取り付ける。
【００３４】
（浴室の施工）
次に、浴室の施工手順について説明する。
浴室を施工するには、まず、防水パン１０を設置後、防水パン１０の周縁の溝部１１に沿って壁パネル１５を設置する。すなわち、溝部１１内に壁パネル１５の下端部を挿入し、隣接する壁パネル１５同士を連結して固定する。
【００３５】
次に、前記の手順で枠組みされた建具枠２を、図１に示すように、防水パン１０の周縁部に設けられた溝部１１内に挿入する。この際、本体部５１の底面部５１３にはシリコン等のシーリング材を塗布しておき、底面部１１Ｂとの間の隙間を塞いでシールする。なお、第１内面５１１Ａよりも第３内面５１１Ｃを後退させているので、第３内面５１１Ｃと側面部１１Ａとの間には空間が形成されている。このため、各底面部１１Ｂ，５１３間からはみ出したシーリング材をこの空間部分に収容することができ、前記空間をシーリング材代として利用できる。
【００３６】
建具枠２を溝部１１内に設置すると、下枠５および下端ブロック７の第１内面５１１Ａ，７３１Ａが、建具枠２に隣接しかつ建具枠２に沿って配置された壁パネル１５の浴室側の内面１５Ａと、同一平面（建具枠２の見込み方向の位置が同一）となるように設計されている。
そのため、建具枠２を溝部１１内に設置すると、図７に示すように、第１内面５１１Ａ，７３１Ａと壁パネル１５の内面１５Ａが同一平面となる。
なお、縦枠６の外側面の２本のリブ６４間および下端ブロック７の２本のリブ７４間に、縦枠６および下端ブロック７の上下方向の全長にわたって止水テープ８３を貼り付けておき、建具枠２および壁パネル１５間の隙間を塞いでいる。
【００３７】
次に、施工作業者は、建具枠２が垂直に配置されるように調整する。建具枠２が傾斜していると、障子３の開閉時に影響するためである。
その後、図1に示すように、防水パン１０上の浴室床材１２と、壁パネル１５の内面１５Ａおよび建具枠２の第１内面５１１Ａ，７３１Ａとの間に、シーリング材８５を充填して防水処理を行う。以上の作業で浴室が施工される。
【００３８】
このような本実施形態によれば、以下のような効果がある。
（１）建具枠２に、第１内面２Ａと、第１内面２Ａよりも浴室側に突出される第２内面２Ｂとを設けたので、建具枠２の第１内面２Ａを壁パネル１５の内面１５Ａに揃えて配置すれば、第２内面２Ｂを壁パネル１５よりも浴室側に突出させることができる。このため、建具枠２を調整するために傾斜した場合でも、壁パネル１５の内面１５Ａに対する第２内面２Ｂの突出量が僅かに変位するだけであり、浴室内面の意匠の低下を防止できる。
すなわち、従来は、図８（Ａ）に示すように、一点鎖線で示す壁パネル１５の内面１５Ａと、実線で示す建具枠２の内面２Ｃとを同一平面に揃えて設置していた。このため、壁パネル１５の内面１５Ａが垂直方向から僅かに傾斜している場合、建具枠２を垂直に配置すると、二点鎖線で示すように、建具枠２および壁パネル１５の各内面２Ｃ，１５Ａ間には、下端から上方に向かうにしたがって徐々に大きくなる段差が生じていた。このように、各内面２Ｃ，１５Ａ間で段差が無い部分から徐々に段差が大きくなる部分まで生じていると、利用者は施工不良と判断する可能性があり、意匠性も低下する。
これに対し、本実施形態では、図８（Ｂ）に示すように、建具枠２の第２内面２Ｂは、最初から壁パネル１５の内面１５Ａよりも浴室側に突出しているため、建具枠２を垂直に配置した場合でも、内面１５Ａからの第２内面２Ｂの突出量が僅かに変化するだけである。そして、このように建具枠２の第２内面２Ｂ全体が内面１５Ａから突出している場合には、利用者はもともと第２内面２Ｂが突出する意匠であると判断し、浴室内部の意匠性が低下することも防止できる。
【００３９】
（２）また、壁パネル１５が傾斜していても、建具枠２のみを調整すればよく、バスユニット全体を動かして調整する必要がないため、浴室の施工作業を簡略化でき、施工期間も短縮することができる。
【００４０】
（３）さらに、浴室床材１２に沿って配置される建具枠２の下部に第１内面２Ａを設けているので、建具枠２および壁パネル１５と浴室床材１２との間は、建具枠２および壁パネル１５間に段差が生じないため、一定間隔でかつ直線状の隙間とすることができる。このため、この隙間をシーリング材８５で塞ぐ際に、シーリング処理作業を容易に行うことができ、浴室の施工作業性をより一層向上できる。
【００４１】
（４）縦枠６の下端に下端ブロック７を取り付け、下端ブロック７にブロック第１内面７３１Ａを形成したので、縦枠６の内面６Ａには第２内面のみを形成すればよい。このため、縦枠６に第１内面を形成する必要がないため、縦枠６の断面形状を一定にでき、縦枠を押出成形で容易に製造できる。
【００４２】
（５）下枠５に下枠第１内面５１１Ａの他に、下枠第２内面５１１Ｂも形成しているので、建具枠の第２内面２Ｂが、建具枠２の上枠４、縦枠６，下枠５の各内面で四周連続して設けられるため、意匠性を向上できる。
【００４３】
（６）下端ブロック７の挿入部７１にシーリング材を塗布する溝７１２を形成したので、シーリング材の塗布量を適切に設定でき、下端ブロック７および縦枠６内面の防水性を容易に確保できる。また、下端ブロック７は、当接部７２を縦枠６の下端に当接させることで下端ブロック７の取付位置を容易にかつ正確に設定できる。
なお、縦枠６と下枠５を固定するタッピンねじ７５を、挿入部７１を貫通して設けているので、下端ブロック７が縦枠６から外れてしまうことを確実に防止できる。
【００４４】
〔第２実施形態〕
次に、本発明の第２実施形態について図９、１０に基づいて説明する。
第２実施形態は、防水パン１００の端部形状が前記実施形態の防水パン１０と相違する。すなわち、防水パン１００の周縁部には、防水パン１００の上面１００Ａよりも一段高くされたサッシ載置部１０１と、サッシ載置部１０１の外周縁から上方に立ち上がった立上部１０２とが形成されている。
【００４５】
そのため、下枠５Ａの形状、特に本体部５１Ａの高さ寸法が前記実施形態の下枠５に比べて短くされている。また、縦枠６の下端に取り付けられる下端ブロック７Ａの高さ寸法や形状は、下枠５Ａの形状に合わせて設定されている。
すなわち、下枠５Ａの浴室側の内面には、第１内面５１１Ａと、第２内面５１１Ｂとが形成されている。
下端ブロック７Ａは、下端ブロック７と同様の挿入部（図示略）、当接部７２が設けられている。但し、下端ブロック７Ａの延出部７３Ａは、下枠５Ａに合わせて高さ寸法が短くされている。そして、延出部７３Ａの浴室側の内面には、第１内面５１１Ａと同一平面に配置される第１内面７３１Ａが形成されている。
建具枠２のその他の構成や、建具枠２の組立手順、浴室の施工手順は、前記第１実施形態と同一であるため、説明を省略する。
【００４６】
このような第２実施形態においても前記第１実施形態と同様の作用効果を奏することができる。
さらに、前記第１実施形態および第２実施形態では、縦枠６の下端に下端ブロック７，７Ａを設けているので、防水パン１０，１００の形状等が相違し、下枠５，５Ａの形状が相違する場合も、各下枠５，５Ａに応じた下端ブロック７，７Ａを選択すればよく、縦枠６は共通のものが利用できる。このため、縦枠６の下端形状を下枠５，５Ａに合わせて変更する場合に比べ、縦枠６の種類を増加させる必要が無く、部品種類を少なくできる。
【００４７】
なお、本発明は、前記実施形態に限定されるものではなく、本発明の目的が達成できる他の構成等を含み、以下に示すような変形等も本発明に含まれる。
例えば、図１１，１２に示すように、縦枠６の下端に下枠５の本体部５１に対応する突出片６５を形成してもよい。この場合、縦枠６の本体部６１の内側面および外側面からそれぞれ突出片６５を延長させ、各突出片６５間に下端ブロック７Ｂを配置すればよい。
【００４８】
このような構成においても、下枠５や下端ブロック７Ｂに、壁パネル１５の内面１５Ａと同一平面となる第１内面５１１Ａ，７３１Ａを形成することで、前記実施形態と同様の作用効果を奏することができる。
さらに、下枠５の両端面は縦枠６の内側面に接合されるため、下枠５および縦枠６間に配置される下枠シーラー８２を、縦枠６の同一平面に密着でき、その部分のシール性能をより向上できる。
【００４９】
また、防水パンの周縁部の形状は前記各実施形態のものに限らず、実施にあたって適宜設定すればよい。さらに、前記第１実施形態では、防水パン１０の上面１０Ａは、下枠５の長手方向に沿って傾斜されて水勾配が形成されていたが、下枠５の見込み方向に水勾配が形成された防水パンを用いてもよい。
【００５０】
前記実施形態では、下枠５の内面に、下枠第１内面５１１Ａおよび下枠第２内面５１１Ｂを設けていたが、下枠第２内面５１１Ｂを設けずに、下枠第１内面５１１Ａのみを設けてもよい。
また、下端ブロック７，７Ａの形状、構成などは前記実施形態に限定されない。例えば、下端ブロック７に下枠第２内面５１１Ｂと同一平面となるブロック第２内面を形成してもよい。さらに、挿入部７１に溝７１２を形成せずに構成してもよい。
【００５１】
前記実施形態においては、縦枠６の下端に下端ブロック７を取り付けていたが、下端ブロック７を用いずに、縦枠６の下部の形状を下枠５の断面形状に合わせて形成してもよい。但し、この場合、縦枠６の加工が複雑になるため、下端ブロック７を用いた方が製造コストを低減できる利点がある。
また、下枠を延長し、縦枠の下端を下枠の上面に接合するようにしてもよい。この場合、下端ブロック７を用いる必要が無く、かつ、縦枠６の加工も複雑にならないという利点がある。
さらに、建具枠２と壁パネル１５間の止水方法は、前記実施形態のように、縦枠６および下端ブロック７の外側面にリブ６４，７４を形成し、リブの間に止水テープ８３を貼り付ける方法に限定されず、他の止水方法を利用してもよい。
【００５２】
浴室建具１としては、建具枠２内に可動障子として、開き戸や折れ戸を設けた出入り口用の浴室建具１でもよいし、建具枠２内にガラス等の面材を配置したＦＩＸ窓用の浴室建具１でもよい。
【００５３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５４】
【図１】本発明の第１実施形態に係る浴室建具を示す縦断面図である。
【図２】前記浴室建具の横断面図である。
【図３】前記浴室建具の建具枠の分解斜視図である。
【図４】前記建具枠の下枠および防水パンを示す正面図である。
【図５】前記建具枠の縦枠および下枠の接合部分を示す分解斜視図である。
【図６】前記建具枠の縦枠および下枠の接合部分を示す斜視図である。
【図７】前記建具枠の縦枠、下枠、壁パネル、浴室床材の接合部分を示す斜視図である。
【図８】（Ａ）は従来例における建具枠および壁パネルの内面位置を示す図、（Ｂ）は本実施形態における建具枠および壁パネルの内面位置を示す図である。
【図９】本発明の第２実施形態に係る建具枠の下枠を示す縦断面図である。
【図１０】第２実施形態に係る建具枠の縦枠および下枠の接合部分を示す斜視図である。
【図１１】本発明の変形例に係る建具枠の縦枠および下枠の接合部分を示す斜視図である。
【図１２】前記変形例に係る建具枠の縦枠および下枠の接合部分を示す分解斜視図である。
【符号の説明】
【００５５】
１…浴室建具、２…建具枠、２Ａ…第１内面、２Ｂ…第２内面、３…障子、４…上枠、４Ｂ…内面、５，５Ａ…下枠、６…縦枠、６Ａ…内面、７，７Ａ，７Ｂ…下端ブロック、１０，１００…防水パン、１１…溝部、１２…浴室床材、１５…壁パネル、１５Ａ…内面、５１，５１Ａ…本体部、７１…挿入部、７２…当接部、７３，７３Ａ…延出部、７５…タッピンねじ、８１…上枠シーラー、８２…下枠シーラー、８５…シーリング材、１０１…サッシ載置部、５１１…内面部、５１１Ａ…下枠第１内面、５１１Ｂ…下枠第２内面、５１１Ｃ…下枠第３内面、７３１Ａ…ブロック第１内面、７３１Ｃ…ブロック第３内面。
【図１】
2008285900.tif 000003
【図２】
2008285900.tif 000004
【図３】
2008285900.tif 000005
【図４】
2008285900.tif 000006
【図５】
2008285900.tif 000007
【図６】
2008285900.tif 000008
【図７】
2008285900.tif 000009
【図８】
2008285900.tif 000010
【図９】
2008285900.tif 000011
【図１０】
2008285900.tif 000012
【図１１】
2008285900.tif 000013
【図１２】
2008285900.tif 000014